(57)【要約】【課題】ディスプレイ装置やスピーカー装置等の携帯型情報端末装置用外部装置と携帯型情報端末装置とを容易に接続することができ、それらを接続した状態での使い勝手を向上させる。【解決手段】携帯型情報端末装置１は第１の接続端子１７１を備え、ディスプレイ装置２は第２の接続端子２７１、２７２と入力された信号をそのまま出力する第３の接続端子２７３とを備え、第１の接続端子１７１と第２の接続端子２７１とを接続することで携帯端末１とディスプレイ装置２とを容易に接続することができるとともに、さらに第３の接続端子２７３に他の携帯型情報端末装置用外部装置を接続することができ、第１の接続端子１７１を介して携帯端末１から入力されるパワーオン信号によってディスプレイ装置２の電源を入れ、携帯端末１で受信したテレビジョン放送による画像をディスプレイ装置２に表示させることができる。【選択図】図１０
2007028028.tif 000002
【特許請求の範囲】
【請求項１】
少なくとも電話機能とテレビジョン放送受信機能とを有する携帯型情報端末装置であって、
複数のキーからなる入力操作用のキー部と、
電話用に用いられている電波の送受信およびテレビジョン放送に用いられている電波の受信を行うアンテナと、
前記アンテナを介して通話用の信号を送受信する通信部と、
前記アンテナを介してテレビジョン放送を受信するチューナーと、
これらの構成要素を納めた筐体の側面に設けられ少なくとも前記チューナーで受信されたテレビジョン放送による映像信号を出力する第１の接続端子とを備えたこと
を特徴とする携帯型情報端末装置。
【請求項２】
前記第１の接続端子は、前記チューナーで受信されたテレビジョン放送による音声信号を合わせて出力すること
を特徴とする請求項１記載の携帯型情報端末装置。
【請求項３】
前記第１の接続端子は、前記第１の接続端子に接続される外部装置の動作を開始させるパワーオン信号を合わせて出力すること
を特徴とする請求項１または請求項２記載の携帯型情報端末装置。
【請求項４】
前記第１の接続端子をオス型の接続端子とし、携帯型情報端末装置を構成する筐体内に収納可能に設けるとともに前記第１の接続端子を前記筐体内に収納するためのスイッチをさらに備えたこと
を特徴とする請求項１から請求項３のいずれか１項に記載の携帯型情報端末装置。
【請求項５】
請求項１から請求項４のいずれかに記載の携帯型情報端末装置に接続して用いる携帯型情報端末装置用外部装置であって、
装置を形成する筐体の一方の側面に設けられ、前記携帯型情報端末装置に備えられた第１の接続端子と接続可能な第２の接続端子と、
前記第１の接続端子および前記第１の接続端子に接続された前記第２の接続端子を介して前記携帯型情報端末装置から入力される信号によって動作する動作部とを備えたこと
を特徴とする携帯型情報端末装置用外部装置。
【請求項６】
前記第１の接続端子と実質的に同等の形状を有し、装置を形成する筐体の前記第２の接続端子が設けられた側面と対向する側の面に設けられ、前記第２の接続端子から入力される信号を出力する第３の接続端子をさらに備えたこと
を特徴とする請求項５記載の携帯型情報端末装置用外部装置。
【請求項７】
前記動作部は、前記第２の接続端子から入力されるパワーオン信号を受けて動作を開始すること
を特徴とする請求項５または請求項６記載の携帯型情報端末装置用外部装置。
【請求項８】
装置を構成する筐体の背面に収納可能に設けられた支え部をさらに備えたこと
を特徴とする請求項５から請求項７のいずれか１項に記載の携帯型情報端末装置用外部装置。
【請求項９】
前記第３の接続端子をオス型の接続端子とし、装置を構成する筐体内に収納可能に設けるとともに前記第３の接続端子を前記筐体内に収納するためのスイッチをさらに備えたこと
を特徴とする請求項５から請求項８のいずれか１項に記載の携帯型情報端末装置用外部装置。
【請求項１０】
画像を表示するディスプレイパネルを備え、
前記動作部は、前記第２の接続端子から入力される映像信号にもとづき前記ディスプレイパネルを駆動して画像を表示させるパネル駆動部であること
を特徴とする請求項５から請求項９のいずれか１項に記載の携帯型情報端末装置用外部装置。
【請求項１１】
スピーカーを備え、
前記動作部は、前記第２の接続端子から入力される音声信号にもとづき前記スピーカーを駆動して音声を発生させるスピーカー駆動部であること
を特徴とする請求項５から請求項９のいずれか１項に記載の携帯型情報端末装置用外部装置。
【発明の詳細な説明】
【技術分野】
【０００１】
本発明は、少なくとも電話機能とテレビジョン放送受信機能とを備えた携帯型情報端末装置および携帯型情報端末装置に接続して用いる携帯型情報端末装置用外部装置に関する。
【背景技術】
【０００２】
近年急速に普及した携帯型電話機に代表される携帯型情報端末装置（以下、「携帯端末」とも記す）は、ＬＳＩ等の電子回路の集積化技術の進歩とともに高機能化、多機能化され、さまざまな情報を１台の携帯端末で扱えるようになってきた。そのため、使用者が携帯端末で扱う情報も複雑化、大量化してきており、一度により多くの情報を表示させたいという要望も大きくなってきている。また、テレビジョン放送の受信機能を備えた携帯端末も実用化され、携帯端末でテレビジョンの視聴を行うこともできるようになってきており、テレビジョン放送による画像をより見やすい状態で視聴したいといった要望も生まれてきている。そういった要望に応えるように、携帯端末に備えられた表示部の大画面化、高精細化がなされてきている。
【０００３】
また、地上デジタル放送等のデジタルテレビジョン放送が開始され、これまでのアナログによるテレビジョン放送と比較してノイズの少ない鮮明なテレビジョン放送を視聴することができるようになった。地上デジタル放送では、従来のアナログ放送の１チャンネルにあたる６ＭＨｚの周波数帯域を１３の帯域、すなわち１３のＯＦＤＭセグメント（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ  デジタル化された情報を伝送する方式の一つである直交周波数分割多重を表す）に分け、セグメント毎に伝送パラメータや伝送する情報を設定してテレビジョン送信を行う。このため、地上デジタル放送では、１チャンネルでハイビジョン放送または複数の標準テレビジョン放送とデータ放送との組み合わせ等を放送することができる。そして、１３のセグメントのうちの１つのセグメントが、移動中の受信を対象としたテレビジョン放送に割り当てられており、この１つのセグメントを使ったテレビジョン放送、いわゆる「１セグメント放送」では、移動中における受信であっても、ちらつき等のノイズが少ない鮮明な画像を視聴することが可能となる。
【０００４】
したがって、１セグメント放送等のデジタル放送を受信可能な携帯端末であれば、移動中であっても鮮明な画像を視聴することが可能となる。ノイズの少ない鮮明な画像であれば、画面を大きくすることでより迫力ある表示をすることができるため、大画面化に関する要望はますます大きくなっている。
【０００５】
しかしながら、携帯端末の携帯性を損なわないようにするためには携帯端末自体の大きさを制限しなければならず、そのため表示部の大きさも自ずと制限され、より大きな画面で視聴したいといった要望に応えることは難しかった。
【０００６】
そこで、本体の上部または下部に、本体に設けられた表示部の少なくとも２倍の表示面積を有する液晶パネルからなる拡大表示部を着脱自在に装着できる携帯電話機に関する技術が開示されている（例えば、特許文献１を参照）。
【特許文献１】特開２００１−２９８５１７号公報
【発明の開示】
【発明が解決しようとする課題】
【０００７】
上述した従来技術によれば、携帯電話機と拡大表示部とを着脱自在に装着できるようにすることで、携帯電話機の携帯性を損なうことなく、携帯電話機本体に備えられた表示部よりも表示面積の大きな拡大表示部に画像を表示させることが可能となる。
【０００８】
しかしながら、上述した従来技術では、拡大表示部が携帯電話機の上部または下部に装着されるため、拡大表示部が装着された携帯電話機を、拡大表示部に表示された画像を使用者が視聴しやすい状態にして机上等に静止させて置くことが難しいといった課題があった。そのため、拡大表示部に表示された画像を使用者が視聴するためには、例えば使用者が自身の手の中に携帯電話機を保持した状態にする等しなければならず、使い勝手が悪かった。
【０００９】
また、上述した従来技術では、携帯電話機本体に設けられたスピーカーからしか音声が発せられないため、より大きな音声で視聴したい場合には、携帯電話機に備えられたイヤホンジャック等の音声出力端子に音声信号伝達用のコードを介してスピーカーを接続させる等しなければならず、使い勝手が悪かった。
【００１０】
本発明はこのような課題に鑑みてなされたもので、ディスプレイ装置やスピーカー装置等の携帯型情報端末装置用外部装置と容易に接続することができ、それらを接続した状態での使い勝手を向上させることができる携帯型情報端末装置および携帯型情報端末装置に接続して用いる携帯型情報端末装置用外部装置を提供することを目的とする。
【課題を解決するための手段】
【００１１】
本発明の携帯型情報端末装置は、少なくとも電話機能とテレビジョン放送受信機能とを有する携帯型情報端末装置であって、複数のキーからなる入力操作用のキー部と、電話用に用いられている電波の送受信およびテレビジョン放送に用いられている電波の受信を行うアンテナと、アンテナを介して通話用の信号を送受信する通信部と、アンテナを介してテレビジョン放送を受信するチューナーと、こららの構成要素を納めた筐体の側面に設けられ少なくともチューナーで受信されたテレビジョン放送による映像信号を出力する第１の接続端子とを備えたことを特徴とする。
【００１２】
この構成により、第１の接続端子に接続可能な接続端子を有する携帯型情報端末装置用外部装置、例えばテレビジョン放送を視聴するためのディスプレイ装置等を容易に接続することができるようになり、使い勝手を向上させることが可能となる。
【００１３】
また、第１の接続端子は、チューナーで受信されたテレビジョン放送による音声信号を合わせて出力する構成としてもよい。この構成によれば、第１の接続端子に接続可能な接続端子を有する携帯型情報端末装置用外部装置、例えばテレビジョン放送を視聴するためのスピーカー装置等を容易に接続することができるようになり、使い勝手を向上させることが可能となる。
【００１４】
また、第１の接続端子は、第１の接続端子に接続される外部装置の動作を開始させるパワーオン信号を合わせて出力する構成としてもよい。この構成によれば、第１の接続端子に接続可能な接続端子を有し第１の接続端子を介して携帯型情報端末装置から入力されるパワーオン信号によって電源が入るように構成されている携帯型情報端末装置用外部装置、例えばディスプレイ装置やスピーカー装置を携帯型情報端末装置に接続するだけで、それら携帯型情報端末装置用外部装置の電源を入れることができるようになり、さらに使い勝手を向上させることが可能となる。
【００１５】
また、第１の接続端子をオス型の接続端子とし、携帯型情報端末装置を構成する筐体内に収納可能に設けるとともに第１の接続端子を筐体内に収納するためのスイッチをさらに備えた構成としてもよい。この構成によれば、オス型の接続端子である第１の接続端子をスイッチの操作によって筐体内に収納することができるようになり、さらに使い勝手を向上させることが可能となる。
【００１６】
また、本発明の携帯型情報端末装置用外部装置は、携帯型情報端末装置に接続して用いる携帯型情報端末装置用外部装置であって、装置を形成する筐体の一方の側面に設けられ、携帯型情報端末装置に備えられた第１の接続端子と接続可能な第２の接続端子と、第１の接続端子および第１の接続端子に接続された第２の接続端子を介して携帯型情報端末装置から入力される信号によって動作する動作部とを備えたことを特徴とする。この構成により、携帯型情報端末装置から出力される信号によって動作する携帯型情報端末装置用外部装置を、携帯型情報端末装置に着脱可能に装着することができるようになり、使い勝手を向上させることが可能となる。
【００１７】
また、第１の接続端子と実質的に同等の形状を有し、装置を形成する筐体の第２の接続端子が設けられた側面と対向する側の面に設けられ、第２の接続端子から入力される信号を出力する第３の接続端子をさらに備えた構成としてもよい。この構成によれば、複数の携帯型情報端末装置用外部装置を携帯型情報端末装置に接続することができるようになり、さらに使い勝手を向上させることが可能となる。
【００１８】
また、動作部は、第２の接続端子から入力されるパワーオン信号を受けて動作を開始する構成としてもよい。この構成によれば、携帯型情報端末装置用外部装置を携帯型情報端末装置に接続するだけで、携帯型情報端末装置から出力されるパワーオン信号によって携帯型情報端末装置用外部装置の電源を入れ、動作を開始させることができるようになり、さらに使い勝手を向上させることが可能となる。
【００１９】
また、装置を構成する筐体の背面に収納可能に設けられた支え部をさらに備えた構成としてもよい。この構成によれば、支え部により携帯型情報端末装置用外部装置を机上等に自立した状態で置くことができるようになり、例えば使用者がディスプレイ装置を画像を見やすい状態にして机上に置くといった行為等が容易になり、さらに使い勝手を向上させることが可能となる。
【００２０】
また、第３の接続端子をオス型の接続端子とし、装置を構成する筐体内に収納可能に設けるとともに第３の接続端子を筐体内に収納するためのスイッチをさらに備えた構成としてもよい。この構成によれば、オス型の接続端子である第３の接続端子をスイッチの操作によって筐体内に収納することができるようになり、さらに使い勝手を向上させることが可能となる。
【００２１】
また、画像を表示するディスプレイパネルを備え、動作部を、第２の接続端子から入力される映像信号にもとづきディスプレイパネルを制御して画像を表示させるパネル駆動部とする構成であってもよい。この構成によれば、携帯型情報端末装置用外部装置であるディスプレイ装置に、例えば携帯型情報端末装置で受信されたテレビジョン放送による画像を表示させるといったこと等ができるようになり、さらに使い勝手を向上させることが可能となる。
【００２２】
また、スピーカーを備え、動作部を、第２の接続端子から入力される音声信号にもとづきスピーカーを制御して音声を発生させるスピーカー駆動部とする構成であってもよい。この構成によれば、携帯型情報端末装置用外部装置であるスピーカー装置に、例えば携帯型情報端末装置で受信されたテレビジョン放送による音声を発生させるといったこと等ができるようになり、さらに使い勝手を向上させることが可能となる。
【発明の効果】
【００２３】
本発明によれば、ディスプレイ装置やスピーカー装置等の携帯型情報端末装置用外部装置と携帯型情報端末装置とを容易に接続することができ、それらを接続した状態での使い勝手を向上させることができる携帯型情報端末装置および携帯型情報端末装置に接続して用いる携帯型情報端末装置用外部装置を提供できる。
【発明を実施するための最良の形態】
【００２４】
以下、本発明の実施の形態について、図面を用いて詳細に説明する。
【００２５】
（実施の形態１）
図１は、本発明の実施の形態１における携帯端末１の正面図および側面図であり、図１（ａ）は、携帯端末１の正面図であり、図１（ｂ）は、携帯端末１を図１（ａ）のＡの方向から見た側面図であり、図１（ｃ）は、携帯端末１を図１（ａ）のＢの方向から見た側面図である。また、図２（ａ）、（ｂ）は、本発明の実施の形態１における携帯端末１を右と左から見た各斜視図である。
【００２６】
図１、図２に示すように、本発明の実施の形態１における携帯端末１は、少なくとも０から９までの数字を入力することができるテンキーを含む複数のキーからなる入力操作用のキー部１１１と、携帯端末１の本体の下部に配置され通話時等に用いられるマイクロフォン（以下、「マイク」と略記する）１２１と、画像や文字等の表示を行うディスプレイパネル１３１と、通話用のスピーカー１４１と、アンテナ１５１と、携帯端末１の正面に向かって左の側面上部に設けられたオス型の接続端子からなる第１の接続端子１７１とを備えている。
【００２７】
そして、携帯端末１は、少なくとも電話機能とテレビジョン放送受信機能とを含む複数の機能を切り替えて使用することが可能であり、例えば、携帯端末１を電話機として使用する場合には、キー部１１１の操作によって携帯端末１の機能を電話機能に切り替え、携帯端末１をテレビジョン受信機として使用する場合には、キー部１１１の操作によって携帯端末１の機能をテレビジョン受信機能に切り替えることができる。携帯端末１の機能を電話機能に切り替えた場合には、キー部１１１を操作して電話番号を入力しその相手と通話する等の携帯型の電話機として用いることができる。また、携帯端末１の機能をテレビジョン受信機能に切り替えた場合には、キー部１１１を操作して所望のチャンネル番号を入力し、アンテナ１５１および携帯端末１に内蔵されたチューナーによってそのチャンネルのテレビジョン放送を受信するテレビジョン受信機として用いることができる。
【００２８】
また、第１の接続端子１７１を備えることで、第１の接続端子１７１と接続可能な接続端子を備えたディスプレイ装置またはスピーカー装置等の携帯型情報端末装置用外部装置と携帯端末１とを接続することができるが、その詳細については後述する。
【００２９】
図３は、本発明の実施の形態１における携帯端末１の構成を示すブロック図である。
【００３０】
図３に示すように、携帯端末１は、携帯端末１の全体の制御を行うとともに携帯端末１に備えられた各種の機能を実現するための信号処理を行う主制御部１００と、入力操作用のキー部１１１と、キー部１１１になされる入力操作を受け付ける入力操作受け付け部１１０と、集音用のマイク１２１と、マイク１２１から出力される音声信号に信号処理を施す音声信号処理部１２０と、画像や文字等を表示するディスプレイパネル１３１と、主制御部１００から出力される文字や画像等を表示するための信号（以下、ディスプレイパネルに表示させるための信号をまとめて「映像信号」と記す）にもとづきディスプレイパネル１３１を駆動するパネル駆動部１３０と、スピーカー１４１と、主制御部１００から出力される音声信号にもとづきスピーカー１４１を駆動するスピーカー駆動部１４０と、アンテナ１５１と、通話のための信号をアンテナ１５１を介して送受信する通信部１５０と、アンテナ１５１によって受信されたテレビジョン放送用の信号からテレビジョン信号を取り出すチューナー１６０と、主制御部１００から出力される映像信号等の各種信号を携帯端末１の外部に出力する第１の接続端子１７１と、主制御部１００の処理に用いられるデータの一時的な記憶や使用者によって登録された電話番号等の記憶を行う記憶部１８０と、携帯端末１の各ブロックに電力を供給するバッテリー１９０とを備えている。
【００３１】
入力操作用のキー部１１１は、図１、図２に示したように、少なくとも０から９までの数字を入力することができるテンキーを含む複数のキーからなり、使用者はこのキー部１１１を操作して数字や文字等の入力操作、あるいは携帯端末１の機能切り替え等の入力を行う。入力操作受け付け部１１０は、キー部１１１になされる入力操作を受け付け、どのキーが押下されたのかを表す電気信号を主制御部１００へ出力する。
【００３２】
マイク１２１は、図１、図２に示したように、携帯端末１の本体の下部に配置され、例えば携帯端末１の電話機能等が使用される場合に使用者から発せられる音声等を集音し音声信号に変換して出力する。音声信号処理部１２０は、マイク１２１から出力される音声信号を、主制御部１００で取り扱い可能な形式の信号、例えば主制御部１００がデジタル信号処理を行う場合はデジタル信号へ変換する等の信号処理を施し、主制御部１００へ出力する。
【００３３】
ディスプレイパネル１３１は、一般に用いられている液晶ディスプレイパネルやＥＬ（Ｅｌｅｃｔｒｏ  Ｌｕｍｉｎｅｓｃｅｎｔ  Ｄｉｓｐｌａｙ）等からなり、画像や文字等の表示を行う。そして、パネル駆動部１３０は、主制御部１００から出力される映像信号にもとづきディスプレイパネル１３１を駆動して画像や文字等を表示させる。
【００３４】
スピーカー１４１は、図１、図２に示したように、携帯端末１の本体の上部に配置され、主制御部１００から出力される音声信号による音声を発する。スピーカー駆動部１４０は、主制御部１００から音声用として出力される信号、例えば携帯端末１の電話機能が使用される場合に通話相手から送られてくる音声信号や電話が掛かってきたことを通知するための着信音用の信号等（以下、スピーカーから音声を発生させるための信号をまとめて「音声信号」と記す）にもとづきスピーカー１４１を駆動して音声を発生させる。
【００３５】
アンテナ１５１は、テレビジョン放送に用いられている電波の受信機能および携帯型の電話用に用いられている電波の送受信機能を有する。そして、通信部１５０は、携帯端末１の電話機能が使用される場合に通話相手との通話のための信号をアンテナ１５１を介して送受信する。また、チューナー１６０は、携帯端末１のテレビジョン放送受信機能が使用される場合に、アンテナ１５１によって受信されたテレビジョン放送用の信号から使用者によって設定されたチャンネルのテレビジョン信号を取り出して出力する。なお、本発明の実施の形態１においては、チューナー１６０が受信できるテレビジョン信号の放送方式をいずれかの方式に限定するものではなく、例えば上述した地上デジタル放送や１セグメント放送等のデジタル放送であってもよく、あるいはこれまでに用いられてきたアナログによるテレビジョン放送であってもよい。
【００３６】
主制御部１００は、携帯端末１の全体の制御を行うとともに携帯端末１に備えられた各種の機能、例えば電話としての機能やテレビジョン受信機としての機能等を実現するための信号処理を行う。また、それらの機能の切り替えはキー部１１１への入力操作によって行われる。
【００３７】
例えば、電話機能を選択する入力操作がキー部１１１で行われた場合には、キー部１１１でなされた入力操作を入力操作受け付け部１１０が受け付け、主制御部１００は入力操作受け付け部１１０から出力される信号を受けて直ちに電話機能への切り替えを行う。そして、主制御部１００は、キー部１１１から入力された電話番号宛に通信部１５０およびアンテナ１５１を介して発信を行い、その電話番号の電話機を有する通話相手が発信に応じた場合には、マイク１２１および音声信号処理部１２０を通して入力される使用者からの音声による音声信号を通信部１５０を介してアンテナ１５１から通話相手に送信し、通話相手から送信され通信部１５０およびアンテナ１５１で受信された音声信号をスピーカー駆動部１４０を介してスピーカー１４１から発生させる等して、携帯端末１を電話機として機能させる。
【００３８】
あるいは、テレビジョン受信機能を選択する入力操作がキー部１１１で行われた場合には、キー部１１１でなされた入力操作を入力操作受け付け部１１０が受け付け、主制御部１００は入力操作受け付け部１１０から出力される信号を受けて直ちにテレビジョン受信機能への切り替えを行う。そして、主制御部１００は、キー部１１１から入力されたチャンネル番号にもとづきチューナー１６０の受信周波数を変更し、アンテナ１５１を介してチューナー１６０で受信されたテレビジョン信号を復号化して映像信号および音声信号に変換して出力する等して、携帯端末１をテレビジョン受信機として機能させる。
【００３９】
なお、携帯端末１に備えられた各種の機能は、それぞれがハードウェアで実現されていてもよいし、それぞれの機能がソフトウェアで実現可能に記述され、演算装置等で実行される構成であってもよい。それぞれの機能がソフトウェアによって実現されている場合には、上記の各機能ブロックを実現するプログラムを演算装置にロードしたコンピュータを用いて主制御部１００を構成することが可能となる。
【００４０】
記憶部１８０は、磁気を利用して情報を記録するＨＤＤ（Ｈａｒｄ  Ｄｉｓｋ  Ｄｒｉｖｅ：固定磁気ディスク装置）等の記録装置または半導体メモリーを利用して情報を記録する記録装置等の一般に知られている記録装置からなり、着信音を発生させるための信号パターンやテレビジョン放送のチャンネル情報等のあらかじめ設定された情報や、主制御部１００の動作時に一時的に用いられる情報、あるいは電話番号等の使用者によって随時登録される情報等を記憶する。
【００４１】
バッテリー１９０は、一般に用いられているリチウムイオン電池やニッケル水素電池等の充電可能な２次電池からなり、携帯端末１の各ブロックに電力を供給する。なお、本発明の実施の形態１においては、バッテリー１９０を２次電池に限定するものではなく、例えば乾電池や燃料電池等であってもかまわない。あるいは、商用電源からＡＣアダプター等を介して供給される電力を用いる構成であってもかまわない。
【００４２】
第１の接続端子１７１は、図１、図２に示したように、オス型の接続端子からなり、携帯端末１の正面に向かって左の側面上部に設けられ、主制御部１００から出力される映像信号、音声信号および携帯端末１に接続されるディスプレイ装置やスピーカー装置等の電源を入れるためのパワーオン信号を携帯端末１の外部に出力する。なお、このパワーオン信号は、携帯端末１に接続されるディスプレイ装置やスピーカー装置等の電源を入れるためだけの信号に過ぎないため、接地電位と所定の定電圧値（例えば、１．５（Ｖ）程度）との切り替えによって表される２値信号でかまわない。
【００４３】
図４は、本発明の実施の形態１における携帯端末１に備えられた第１の接続端子１７１の拡大斜視図である。
【００４４】
第１の接続端子１７１は、オス型の接続端子からなり、図４に示すように、銅やアルミニウム等の導電率の高い金属からなる金属板を円筒形にし、それを半径の異なる複数の同心円状に設けることで形成されている。そして、円筒形にされ半径の異なる複数の同心円状に設けられたそれぞれの金属板には、外側から順に、接地電位（以下、「ＧＮＤ」と略記する）、音声信号、ＧＮＤ、映像信号、パワーオン信号が割り当てられている。このように、音声信号と映像信号との間にＧＮＤを設けることで、音声信号と映像信号とのクロストークを抑えることができる。また、音声信号や映像信号を出力するための出力回路（図示せず）では出力インピーダンスを低くして信号を出力しているため、その出力部分が誤ってインピーダンスの低い導電体に触れると出力回路に過電流が流れて問題を生じる恐れがある。そこで、何かに接触する恐れの最も高い一番外側の金属片をＧＮＤにすることで、そのような問題が発生する恐れを低減している。
【００４５】
なお、本発明の実施の形態１では、第１の接続端子１７１を、図４に示した構成の接続端子に限定するものではない。例えば、金属板に塩化ビニル等の絶縁体を薄く延ばして重ね合わせ、それを円筒形にしてそれぞれ半径の異なる複数の同心円状に設けてオス型の接続端子を形成してもよい。これにより、各信号間の絶縁性を高めることができる。あるいは、同心円状ではなく、色信号と輝度信号とを分けて出力するＳ−ＶＨＳ等のビデオ機器に用いられているＳ端子のようにピン状に金属端子を設けてオス型の接続端子を形成してもよい。あるいは、オス型の接続端子ではなく、メス型の接続端子としてもかまわない。ただし、第１の接続端子１７１をメス型の接続端子によって構成する場合には、第１の接続端子１７１に接続される接続端子をオス型にする必要がある。
【００４６】
このように、本発明の実施の形態１における携帯端末１は、少なくとも電話機能およびテレビジョン受信機能を含む複数の機能を備え、それらを切り替えて使用することができる構成となっている。また、主制御部１００から出力される映像信号や音声信号等の各種信号を第１の接続端子１７１から出力しており、第１の接続端子１７１に接続可能な接続端子を有するディスプレイ装置やスピーカー装置等の携帯型情報端末装置用外部装置を携帯端末１に接続し、第１の接続端子１７１を介してそれら外部装置に各種信号を入力することができる。
【００４７】
図５は、本発明の実施の形態１における携帯型情報端末装置用外部装置であるディスプレイ装置２の正面図、側面図および斜視図である。そして、図５（ａ）は、ディスプレイ装置２の正面図であり、図５（ｂ）は、ディスプレイ装置２を図５（ａ）のＡの方向から見た側面図であり、図５（ｃ）は、ディスプレイ装置２を図５（ａ）のＢの方向から見た側面図であり、図５（ｄ）、（ｅ）は、ディスプレイ装置２を右と左から見た各斜視図である。
【００４８】
図５に示すように、本発明の実施の形態１における携帯型情報端末装置用外部装置であるディスプレイ装置２は、ディスプレイパネル２００と、ディスプレイ装置２の正面に向かって右の側面の上部および下部にそれぞれ設けられたメス型の接続端子からなる第２の接続端子２７１、２７２と、第２の接続端子２７１、２７２が設けられた側面と対向する側の面、すなわちディスプレイ装置２の正面に向かって左の側面の上部に設けられたオス型の接続端子からなる第３の接続端子２７３とを備えている。
【００４９】
そして、本発明の実施の形態１においては、ディスプレイ装置２の高さと携帯端末１の高さとがほぼ等しくなるようにディスプレイ装置２を形成するとともに第２の接続端子２７１を携帯端末１に備えられた第１の接続端子１７１とほぼ同じ高さになる位置に取り付けている。これにより、携帯端末１に備えられた第１の接続端子１７１とディスプレイ装置２に備えられた第２の接続端子２７１とを接続した場合に、携帯端末１とディスプレイ装置２との接続部分に生じる高さ方向の段差を小さくすることができ、携帯端末１にディスプレイ装置２を接続したときの見栄えをよくすることができる。また、第３の接続端子２７３を携帯端末１に備えられた第１の接続端子１７１とほぼ同じ高さになる位置に取り付けている。これにより、ディスプレイ装置２に備えられた第３の接続端子２７３にさらに携帯型情報端末装置用外部装置を接続した場合に、ディスプレイ装置２とその携帯型情報端末装置用外部装置との接続部分に生じる高さ方向の段差を小さくすることができ、ディスプレイ装置２にさらに携帯型情報端末装置用外部装置を接続したときの見栄えをよくすることができる。なお、ここでの「高さ」とは、図１に示した携帯端末１の長手方向の長さのことであり、図５（ｂ）、（ｃ）に示したディスプレイ装置２の側面図における長手方向の長さのことである。
【００５０】
図６は、本発明の実施の形態１における携帯型情報端末装置用外部装置であるディスプレイ装置２の構成を示すブロック図である。
【００５１】
図６に示すように、ディスプレイ装置２は、画像や文字等を表示するディスプレイパネル２００と、第２の接続端子２７１または２７２から入力されてくる映像信号にもとづきディスプレイパネル２００を駆動して画像を表示させるパネル駆動部２３０と、携帯端末１が備えた第１の接続端子１７１との接続が可能な第２の接続端子２７１、２７２と、第２の接続端子２７１、２７２から入力される信号をディスプレイ装置２の外部に出力するための第３の接続端子２７３と、ディスプレイ装置２の各ブロックに電力を供給するバッテリー２９０とを備えている。
【００５２】
ディスプレイパネル２００は、一般に用いられている液晶ディスプレイパネルやＥＬ等からなり、画像や文字等の表示を行う。また、ディスプレイパネル２００には、携帯端末１に備えられたディスプレイパネル１３１よりも表示面積の大きいディスプレイパネルによって形成されており、ディスプレイパネル１３１に表示する場合よりも画像を大きくして表示することができる。そして、動作部であるパネル駆動部２３０は、第２の接続端子２７１または２７２から入力されてくるパワーオン信号を受けてからその動作を開始し、第２の接続端子２７１または２７２から入力されてくる映像信号にもとづきディスプレイパネル２００を駆動して画像や文字等を表示させる。
【００５３】
バッテリー２９０は、一般に用いられているリチウムイオン電池やニッケル水素電池等の充電可能な２次電池からなり、ディスプレイ装置２の各ブロックに電力を供給する。なお、本発明の実施の形態１においては、バッテリー２９０を２次電池に限定するものではなく、例えば乾電池や燃料電池等であってもかまわない。あるいは、商用電源からＡＣアダプター等を介して供給される電力を用いる構成であってもかまわない。
【００５４】
第２の接続端子２７１、２７２は、図５に示したように、ディスプレイ装置２の正面に向かって右の側面の上部および下部に設けられたメス型の接続端子からなり、携帯端末１に備えられた第１の接続端子１７１との接続が可能である。また、第２の接続端子２７１、２７２はそれぞれの同じ信号線同士が互いに電気的に接続されているため、第１の接続端子１７１を第２の接続端子２７１と２７２のどちらに接続したとしても、携帯端末１から出力される各種信号を同様にディスプレイ装置２に入力することができる。
【００５５】
第３の接続端子２７３は、図５に示したように、ディスプレイ装置２の正面に向かって左の側面の上部に設けられたオス型の接続端子からなり、第２の接続端子２７１、２７２と電気的に接続され、第２の接続端子２７１または２７２から入力されてくる信号をそのままディスプレイ装置２の外部に出力する。
【００５６】
なお、第２の接続端子２７１、２７２と第３の接続端子２７３との間に高いインピーダンスで信号を受けその信号を低いインピーダンスで出力する出力回路を設ける等して、第２の接続端子２７１、２７２から入力される信号を一旦その出力回路を介して第３の接続端子２７３から出力する構成としてもかまわない。
【００５７】
図７は、本発明の実施の形態１における携帯型情報端末装置用外部装置であるディスプレイ装置２に備えられた第２の接続端子２７１の拡大斜視図である。
【００５８】
第２の接続端子２７１は、メス型の接続端子からなり、図７に示すように、銅やアルミニウム等の導電率の高い金属からなる金属板に塩化ビニル等の絶縁体を薄く延ばして重ね合わせ、それを円筒形にしてそれぞれ半径の異なる複数の同心円状にして複数の同心円状の溝を設けることで形成されている。そして、同心円状に設けられた複数の溝には、第１の接続端子１７１と同様の順番になるように、外側から順に、ＧＮＤ、音声信号、ＧＮＤ、映像信号、パワーオン信号が割り当てられている。また、第２の接続端子２７１に設けられた同心円状の各溝のそれぞれの半径や深さ等は、図４に示した第１の接続端子１７１に半径の異なる複数の同心円状に設けられた円筒形の各金属板がそれぞれきちんと挿入できるような大きさに設定されている。そして、第１の接続端子１７１が第２の接続端子２７１に挿入されることで、携帯端末１とディスプレイ装置２とが互いに電気的に接続される構成となっている。
【００５９】
なお、第２の接続端子２７２は、第２の接続端子２７１と実質的に同等の形状であるため、説明を省略する。また、第３の接続端子２７３は、携帯端末１に備えられた第１の接続端子１７１と実質的に同等の形状であるため、説明を省略する。
【００６０】
なお、本発明の実施の形態１では、第２の接続端子２７１を、図７に示した構成に限定するものではない。例えば、銅やアルミニウム等の導電率の高い金属からなる金属板を２枚重ね合わせ、それら金属板の間に塩化ビニル等の絶縁体を薄く延ばして挟み込み、それを円筒形にしてそれぞれ半径の異なる複数の同心円状にして複数の同心円状の溝を設ける構成としてもよい。この場合、異なる信号間の絶縁性を確保しつつ、第１の接続端子１７１と第２の接続端子２７１との電気的な接続性を高めることができる。また、第１の接続端子１７１をＳ端子のようなピン状に金属端子を設けた接続端子とする場合には、第２の接続端子２７１はその接続端子が挿入できるような形状にし、第１の接続端子１７１をメス型の接続端子とする場合には、第２の接続端子２７１をオス型の接続端子にする等、第２の接続端子２７１は第１の接続端子１７１と接続可能な形状であればよい。
【００６１】
このように、本発明の実施の形態１における携帯型情報端末装置用外部装置であるディスプレイ装置２は、携帯端末１に備えられた第１の接続端子１７１と接続可能な第２の接続端子２７１、２７２を備えており、第２の接続端子２７１または２７２と第１の接続端子１７１とを接続することでディスプレイ装置２が携帯端末１と電気的に接続される。そして、携帯端末１から第１の接続端子１７１を介して出力されるパワーオン信号によってディスプレイ装置２の電源が入り、携帯端末１から第１の接続端子１７１を介して出力され第２の接続端子２７１または２７２から入力される映像信号にもとづいて動作部であるパネル駆動部２３０がディスプレイパネル２００を駆動して画像を表示する。
【００６２】
図８は、本発明の実施の形態１における携帯型情報端末装置用外部装置であるスピーカー装置３の正面図、側面図および斜視図である。そして、図８（ａ）は、スピーカー装置３の正面図であり、図８（ｂ）は、スピーカー装置３を図８（ａ）のＡの方向から見た側面図であり、図８（ｃ）は、スピーカー装置３を図８（ａ）のＢの方向から見た側面図であり、図８（ｄ）、（ｅ）は、スピーカー装置３を右と左から見た各斜視図である。
【００６３】
図８に示すように、本発明の実施の形態１における携帯型情報端末装置用外部装置であるスピーカー装置３は、スピーカー３００と、スピーカー装置３の正面に向かって右の側面上部に設けられたメス型の接続端子からなる第２の接続端子３７１と、第２の接続端子３７１が設けられた側面と対向する側の面、すなわちスピーカー装置３の正面に向かって左の側面の上部に設けられたオス型の接続端子からなる第３の接続端子３７２とを備えている。
【００６４】
そして、本発明の実施の形態１においては、スピーカー装置３の高さと携帯端末１の高さとがほぼ等しくなるようにスピーカー装置３を形成するとともに第２の接続端子３７１を携帯端末１に備えられた第１の接続端子１７１とほぼ同じ高さになる位置に取り付けている。これにより、携帯端末１に備えられた第１の接続端子１７１とスピーカー装置３に備えられた第２の接続端子３７１とを接続した場合に、携帯端末１とスピーカー装置３との接続部分に生じる高さ方向の段差を小さくすることができ、携帯端末１にスピーカー装置３を接続したときの見栄えをよくすることができる。また、スピーカー装置３の高さとディスプレイ装置２の高さとがほぼ等しく、ディスプレイ装置２に設けられた第３の接続端子２７３が携帯端末１に設けられた第１の接続端子１７１とほぼ等しい高さになる位置に取り付けられているので、ディスプレイ装置２に備えられた第３の接続端子２７３とスピーカー装置３に備えられた第２の接続端子３７１とを接続したときに、ディスプレイ装置２とスピーカー装置３との接続部分に生じる高さ方向の段差を小さくすることができ、ディスプレイ装置２にスピーカー装置３を接続したときの見栄えをよくすることができる。また、第３の接続端子３７２を携帯端末１に備えられた第１の接続端子１７１とほぼ同じ高さになる位置に取り付けている。これにより、スピーカー装置３に備えられた第３の接続端子３７２にディスプレイ装置２に備えられた第２の接続端子２７１を接続した場合に、スピーカー装置３とディスプレイ装置２との接続部分に生じる高さ方向の段差を小さくすることができ、スピーカー装置３にディスプレイ装置２を接続したときの見栄えをよくすることができる。なお、ここでの「高さ」とは、図１に示した携帯端末１の長手方向の長さのことであり、図８に示したスピーカー装置３における長手方向の長さのことである。
【００６５】
図９は、本発明の実施の形態１における携帯型情報端末装置用外部装置であるスピーカー装置３の構成を示すブロック図である。
【００６６】
図９に示すように、スピーカー装置３は、スピーカー３００と、第２の接続端子３７１から入力されてくる音声信号にもとづきスピーカー３００を駆動して音声を発生させるスピーカー駆動部３３０と、携帯端末１が備えた第１の接続端子１７１との接続が可能な第２の接続端子３７１と、第２の接続端子３７１から入力される信号をスピーカー装置３の外部に出力するための第３の接続端子３７２と、スピーカー装置３の各ブロックに電力を供給するバッテリー３９０とを備えている。
【００６７】
スピーカー３００は、一般に用いられているいわゆるフラットスピーカーからなり、スピーカー装置３の厚みを薄く形成することができるとともに携帯端末１に備えられたスピーカー１４１よりも大きな音声を発生させることができる。そして、動作部であるスピーカー駆動部３３０は、第２の接続端子３７１から入力されてくるパワーオン信号を受けてからその動作を開始し、第２の接続端子３７１から入力されてくる音声信号にもとづきスピーカー３００を駆動して音声を発生させる。
【００６８】
バッテリー３９０は、一般に用いられているリチウムイオン電池やニッケル水素電池等の充電可能な２次電池からなり、スピーカー装置３の各ブロックに電力を供給する。なお、本発明の実施の形態１においては、バッテリー３９０を２次電池に限定するものではなく、例えば乾電池や燃料電池等であってもかまわない。あるいは、商用電源からＡＣアダプター等を介して供給される電力を用いる構成であってもかまわない。
【００６９】
第２の接続端子３７１は、図８に示したように、スピーカー装置３の正面に向かって右の側面上部に設けられたメス型の接続端子からなり、携帯端末１に備えられた第１の接続端子１７１との接続が可能である。
【００７０】
第３の接続端子３７２は、図８に示したように、スピーカー装置３の正面に向かって左の側面上部に設けられたオス型の接続端子からなり、第２の接続端子３７１と電気的に接続され、第２の接続端子３７１から入力されてくる信号をそのままスピーカー装置３の外部に出力する。
【００７１】
なお、第２の接続端子３７１と第３の接続端子３７２の間に高いインピーダンスで信号を受けその信号を低いインピーダンスで出力する出力回路を設ける等して、第２の接続端子３７１から入力される信号を一旦その出力回路を介して第３の接続端子３７２から出力する構成としてもかまわない。
【００７２】
なお、第２の接続端子３７１は、ディスプレイ装置２に備えられた第２の接続端子２７１と実質的に同等の形状であるため、説明を省略する。また、第３の接続端子３７２は、携帯端末１に備えられた第１の接続端子１７１と実質的に同等の形状であるため、説明を省略する。
【００７３】
次に、携帯端末１と携帯型情報端末装置用外部装置との接続について説明する。
【００７４】
図１０は、本発明の実施の形態１における携帯端末１と携帯型情報端末装置用外部装置であるディスプレイ装置２との接続の様子を示す説明図である。
【００７５】
図１０に示すように、本発明の実施の形態１においては、携帯端末１に備えられた第１の接続端子１７１とディスプレイ装置２に備えられた第２の接続端子２７１とを接続することで、携帯端末１とディスプレイ装置２とを電気的に接続することができる。そして、携帯端末１からのパワーオン信号によってディスプレイ装置２の電源を入れることができ、また、例えば携帯端末１で受信したテレビジョン放送による画像をディスプレイ装置２に表示させることができる。
【００７６】
また、本発明の実施の形態１においては、ディスプレイ装置２の高さと携帯端末１の高さとがほぼ等しく、かつ携帯端末１に備えられた第１の接続端子１７１とディスプレイ装置２に備えられた第２の接続端子２７１とがほぼ同じ高さに取り付けられているので、携帯端末１に備えられた第１の接続端子１７１とディスプレイ装置２に備えられた第２の接続端子２７１とを接続した場合には、図１０（ｂ）に示すように、携帯端末１とディスプレイ装置２との接続部分に生じる高さ方向の段差を小さくして、携帯端末１とディスプレイ装置２とを接続することができ、携帯端末１にディスプレイ装置２を接続したときの見栄えをよくすることができる。
【００７７】
図１１は、本発明の実施の形態１における携帯端末１と携帯型情報端末装置用外部装置であるディスプレイ装置２との接続の様子を示す説明図である。
【００７８】
図１１に示すように、図１０に示した構成と同じく、携帯端末１に備えられた第１の接続端子１７１とディスプレイ装置２に備えられた第２の接続端子２７２とを接続することで、携帯端末１とディスプレイ装置２とを電気的に接続することができる。そして、携帯端末１からのパワーオン信号によってディスプレイ装置２の電源を入れることができ、また、例えば携帯端末１で受信したテレビジョン放送による画像をディスプレイ装置２に表示させることができる。
【００７９】
また、本発明の実施の形態１においては、第１の接続端子１７１および第２の接続端子２７１、２７２の接続部分がそれぞれ同心円状に形成されているので、例えば第１の接続端子１７１と第２の接続端子２７２とを接続した状態で携帯端末１とディスプレイ装置２とを相対的に回動させることが可能である。そして、第２の接続端子２７２がディスプレイ装置２の側面下部に取り付けられているので、携帯端末１に備えられた第１の接続端子１７１とディスプレイ装置２に備えられた第２の接続端子２７２とを接続した場合には、例えば図１１（ｂ）に示すように、机上に置いたときに携帯端末１のキー部１１１を操作しやすくかつディスプレイ装置２に表示される画像を見やすくなるような角度にして携帯端末１とディスプレイ装置２とを接続することができる。
【００８０】
図１２は、本発明の実施の形態１における携帯端末１と携帯型情報端末装置用外部装置であるディスプレイ装置２およびスピーカー装置３との接続の様子を示す説明図である。
【００８１】
本発明の実施の形態１においては、ディスプレイ装置２の高さとスピーカー装置３の高さとがほぼ等しく、かつディスプレイ装置２に備えられた第３の接続端子２７３とスピーカー装置３に備えられた第２の接続端子３７１とがほぼ同じ高さに取り付けられている。したがって、ディスプレイ装置２に備えられた第３の接続端子２７３とスピーカー装置３に備えられた第２の接続端子３７１とを接続した場合には、図１２（ｂ）に示すように、ディスプレイ装置２とスピーカー装置３との接続部分に生じる高さ方向の段差を小さくして、ディスプレイ装置２とスピーカー装置３とを接続することができ、ディスプレイ装置２にスピーカー装置３を接続したときの見栄えをよくすることができる。
【００８２】
また、ディスプレイ装置２が備える第２の接続端子２７１に入力される信号はディスプレイ装置２が備える第３の接続端子２７３からそのまま出力されるので、ディスプレイ装置２に携帯端末１が接続されていれば、ディスプレイ装置２に備えられた第３の接続端子２７３とスピーカー装置３に備えられた第２の接続端子３７１とを接続することで、ディスプレイ装置２を介して携帯端末１とスピーカー装置３とを電気的に接続することができる。これにより、携帯端末１からのパワーオン信号によってディスプレイ装置２およびスピーカー装置３の電源を入れることができ、また、例えば、携帯端末１で受信したテレビジョン放送による画像をディスプレイ装置２に表示させるとともに同じく受信したテレビジョン放送による音声をスピーカー装置３から出力させることができる。
【００８３】
図１３は、本発明の実施の形態１における携帯端末１と携帯型情報端末装置用外部装置であるディスプレイ装置２およびスピーカー装置３との接続の様子を示す説明図である。
【００８４】
本発明の実施の形態１においては、携帯端末１の高さとスピーカー装置３の高さとがほぼ等しく、かつ携帯端末１に備えられた第１の接続端子１７１とスピーカー装置３に備えられた第２の接続端子３７１とがほぼ同じ高さに取り付けられているので、携帯端末１に備えられた第１の接続端子１７１とスピーカー装置３に備えられた第２の接続端子３７１とを接続した場合には、図１３（ｂ）、（ｃ）に示すように、携帯端末１とスピーカー装置３との接続部分に生じる高さ方向の段差を小さくして、携帯端末１とスピーカー装置３とを接続することができ、携帯端末１にスピーカー装置３を接続したときの見栄えをよくすることができる。
【００８５】
また、ディスプレイ装置２の高さとスピーカー装置３の高さとがほぼ等しく、かつディスプレイ装置２に備えられた第２の接続端子２７１とスピーカー装置３に備えられた第３の接続端子３７２とがほぼ同じ高さに取り付けられているので、ディスプレイ装置２に備えられた第２の接続端子２７１とスピーカー装置３に備えられた第３の接続端子３７２とを接続した場合には、図１３（ｃ）に示すように、ディスプレイ装置２とスピーカー装置３との接続部分に生じる高さ方向の段差を小さくして、ディスプレイ装置２とスピーカー装置３とを接続することができ、ディスプレイ装置２にスピーカー装置３を接続したときの見栄えをよくすることができる。
【００８６】
また、スピーカー装置３が備える第２の接続端子３７１に入力される信号はスピーカー装置３が備える第３の接続端子３７２からそのまま出力されるので、スピーカー装置３に携帯端末１が接続されていれば、ディスプレイ装置２に備えられた第２の接続端子２７１とスピーカー装置３に備えられた第３の接続端子３７２とを接続することで、スピーカー装置３を介して携帯端末１とディスプレイ装置２とを電気的に接続することができる。これにより、携帯端末１からのパワーオン信号によってディスプレイ装置２およびスピーカー装置３の電源を入れることができ、また、例えば携帯端末１で受信したテレビジョン放送による画像をディスプレイ装置２に表示させるとともに同じく受信したテレビジョン放送による音声をスピーカー装置３から出力させることができる。
【００８７】
以上述べたように、本発明の実施の形態１によれば、携帯端末１とディスプレイ装置２やスピーカー装置３等の携帯型情報端末装置用外部装置とを接続端子を介して容易に接続することができ、また、それらの接続とともに携帯端末１からのパワーオン信号によって携帯型情報端末装置用外部装置の電源を入れ、例えば、携帯端末１で受信したテレビジョン放送による画像をディスプレイ装置２に表示させたり同じく受信したテレビジョン放送による音声をスピーカー装置３から出力させるといったことができる。さらに、ディスプレイ装置２やスピーカー装置３等の携帯型情報端末装置用外部装置においては、第２の接続端子から入力される信号が第３の接続端子からそのまま出力されるように構成されているので、複数の携帯型情報端末装置用外部装置を連続して接続することも可能である。
【００８８】
なお、本発明の実施の形態１においては、ディスプレイ装置２に携帯端末１で受信したテレビジョン放送による画像を表示させスピーカー装置３に同じく受信したテレビジョン放送による音声を発生させる例を説明したが、なんらその構成に限定されるものではなく、例えば、携帯端末１がインターネット等のネットワークへの接続機能を備えていれば、ネットワークへの接続によって生じる画像や文字等の表示や音声の発生を行わせ、あるいは携帯端末１がメモリーカード等の記憶媒体に記憶された映像や音声を再生させる機能を備えていれば、それら再生された映像の表示や音声の発生を行わせる等、携帯端末１において扱う画像や音声等の情報を携帯型情報端末装置用外部装置において表示あるいは発生させる構成とすることが可能である。
【００８９】
また、本発明の実施の形態１においては、携帯型情報端末装置用外部装置としてディスプレイ装置２およびスピーカー装置３を説明したが、例えば、マウス等のポインティングデバイスやキーボード等の入力装置等を携帯型情報端末装置用外部装置としてもよく、あるいはＨＤＤやＤＶＤ等の記憶装置等を携帯型情報端末装置用外部装置としてもよい。また、本発明の実施の形態１では、第１の接続端子１７１、第２の接続端子２７１、２７２、３７１、第３の接続端子２７３、３７２がそれぞれ映像信号、音声信号、パワーオン信号を入出力できるように形成された構成を説明したが、なんらその構成に限定されるものではなく、携帯型情報端末装置用外部装置が取り扱う信号にもとづきそれら接続端子の構成を変えることが望ましい。
【００９０】
また、本発明の実施の形態１においては、携帯端末１に備えられた第１の接続端子１７１等やディスプレイ装置２およびスピーカー装置３に備えられた第３の接続端子２７３、３７２等のオス型の接続端子を、装置を形成する筐体内に収容可能とする構成としてもよい。図１４は、本発明の実施の形態１における携帯端末１に備えられた第１の接続端子１７１の他の例の拡大斜視図である。例えば、図１４に示すように、携帯端末１の上面部にスライドスイッチ１７２を設けるとともにスライドスイッチ１７２の動きに連動して第１の接続端子１７１が携帯端末１を形成する筐体内に収容されるように構成してもよい。このような構成であれば、例えば、ディスプレイ装置２等の携帯型情報端末装置用外部装置と携帯端末１とを接続する場合には、図１４（ａ）に示すように、スライドスイッチ１７２をスライドさせることで、携帯端末１から第１の接続端子１７１をオス型の接続端子として突出させ、携帯端末１を単独で使用する場合には、図１４（ｂ）に示すように、スライドスイッチ１７２をスライドさせることで、第１の接続端子１７１を携帯端末１を形成する筐体内に収容させることができる。
【００９１】
また、本発明の実施の形態１では携帯端末１に備えられた第１の接続端子１７１をオス型の接続とする構成を説明したが、例えば第１の接続端子１７１をメス型の接続端子とする構成であってもよい。その場合、ディスプレイ装置２およびスピーカー装置３に設ける第２の接続端子２７１、２７２、３７１はオス型の接続端子とし、ディスプレイ装置２およびスピーカー装置３に設ける第３の接続端子２７３、３７２はメス型の接続端子とする。
【００９２】
また、本発明の実施の形態１においては、ディスプレイ装置２やスピーカー装置３等の携帯型情報端末装置用外部装置を形成する筐体の背面に収容可能に設けられた支え部を備えた構成としてもよい。図１５は、本発明の実施の形態１における携帯型情報端末装置用外部装置であるディスプレイ装置２を背面から見た斜視図である。例えば、図１５に示すように、ディスプレイ装置２の背面に、ディスプレイ装置２を形成する筐体の背面に収容可能に設けられた支え部２８０を備えた構成としてもよい。このような構成であれば、持ち運び時等においては、図１５（ａ）に示すように、支え部２８０をディスプレイ装置２の背面に収容しておき、机上に置いて使用する場合等においては、図１５（ｂ）に示すように、支え部２８０を広げることで、ディスプレイ装置２の表示面を見やすくした状態で机上に自立して置くことができるようになる。
【００９３】
また、本発明の実施の形態１においては、携帯端末１の側面上部１箇所に第１の接続端子１７１を設ける構成を説明したが、なんらその構成に限定されるものではなく、例えば、携帯端末１の側面の中部や下部に第１の接続端子を設ける構成であってもよく、あるいは携帯端末１の両側面にそれぞれ第１の接続端子を設ける構成等であってもよい。
【産業上の利用可能性】
【００９４】
本発明に係る携帯型情報端末装置および携帯型情報端末装置に接続して用いる携帯型情報端末装置用外部装置によれば、ディスプレイ装置やスピーカー装置等の携帯型情報端末装置用外部装置と携帯型情報端末装置とを容易に接続することができ、それらを接続した状態での使い勝手を向上させることができるので、携帯型情報端末装置および携帯型情報端末装置に接続して用いる携帯型情報端末装置用外部装置として有用である。
【図面の簡単な説明】
【００９５】
【図１】（ａ）は本発明の実施の形態１における携帯端末の正面図、（ｂ）は同即面図、（ｃ）は同側面図
【図２】同携帯端末の斜視図
【図３】同携帯端末の構成を示すブロック図
【図４】同携帯端末に備えられた第１の接続端子の拡大斜視図
【図５】（ａ）は本発明の実施の形態１における携帯型情報端末装置用外部装置であるディスプレイ装置の正面図、（ｂ）は同側面図、（ｃ）は同側面図、（ｄ）は同斜視図、（ｅ）は同斜視図
【図６】同ディスプレイ装置の構成を示すブロック図
【図７】同ディスプレイ装置に備えられた第２の接続端子の拡大斜視図
【図８】（ａ）は本発明の実施の形態１における携帯型情報端末装置用外部装置であるスピーカー装置の正面図、（ｂ）は同側面図、（ｃ）は同側面図、（ｄ）は同斜視図、（ｅ）は同斜視図
【図９】同スピーカー装置の構成を示すブロック図
【図１０】本発明の実施の形態１における携帯端末と携帯型情報端末装置用外部装置であるディスプレイ装置との接続の様子を示す説明図
【図１１】同携帯端末と同ディスプレイ装置との接続の様子を示す説明図
【図１２】同携帯端末と携帯型情報端末装置用外部装置であるディスプレイ装置およびスピーカー装置との接続の様子を示す説明図
【図１３】同携帯端末と同ディスプレイ装置および同スピーカー装置との接続の様子を示す説明図
【図１４】同携帯端末に備えられた第１の接続端子の他の例の拡大斜視図
【図１５】本発明の実施の形態１における携帯型情報端末装置用外部装置であるディスプレイ装置を背面から見た斜視図
【符号の説明】
【００９６】
１    携帯型情報端末装置（携帯端末）
２    ディスプレイ装置
３    スピーカー装置
１００    主制御部
１１０    入力操作受け付け部
１１１    キー部
１２０    音声信号処理部
１２１    マイク
１３０，２３０    パネル駆動部
１３１，２００    ディスプレイパネル
１４０，３３０    スピーカー駆動部
１４１，３００    スピーカー
１５０    通信部
１５１    アンテナ
１６０    チューナー
１７１    第１の接続端子
１７２    スライドスイッチ
１８０    記憶部
１９０，２９０，３９０    バッテリー
２７１，２７２，３７１    第２の接続端子
２７３，３７２    第３の接続端子
２８０    支え部
【図１】
2007028028.tif 000003
【図２】
2007028028.tif 000004
【図３】
2007028028.tif 000005
【図４】
2007028028.tif 000006
【図５】
2007028028.tif 000007
【図６】
2007028028.tif 000008
【図７】
2007028028.tif 000009
【図８】
2007028028.tif 000010
【図９】
2007028028.tif 000011
【図１０】
2007028028.tif 000012
【図１１】
2007028028.tif 000013
【図１２】
2007028028.tif 000014
【図１３】
2007028028.tif 000015
【図１４】
2007028028.tif 000016
【図１５】
2007028028.tif 000017